(57)【特許請求の範囲】
【請求項１】
水酸化カリウム、炭酸ナトリウム、メタルシリコン、水、ホウ砂及びホウ酸を反応させて生成した水溶性液体と、水、ホウ砂、ホウ酸及びリン酸を混合してなる溶液に、水酸化カリウム、炭酸ナトリウム、メタルシリコン及び水を反応させて生成したアルカリ性液体を水で希釈した溶液を混合し、反応させて生成した水溶性液体を含んで成ることを特徴とする肥料。
【請求項２】
水、ホウ砂、ホウ酸及びリン酸を混合してなる溶液に、水酸化カリウム、炭酸ナトリウム、メタルシリコン及び水を反応させて生成したアルカリ性液体を水で希釈した溶液を混合し、反応させて生成した水溶性液体の配合重量が、水酸化カリウム、炭酸ナトリウム、メタルシリコン、水、ホウ砂及びホウ酸を反応させて生成した水溶性液体の配合重量を１とした場合に、０．３〜１であることを特徴とする請求項１記載の肥料。
【請求項３】
肥料は、さらに、リン酸カルシウムを含んで成ることを特徴とする請求項１又は２記載の肥料。
【請求項４】
肥料は、さらに、カオリンを含んで成ることを特徴とする請求項１、２又は３記載の肥料。
【請求項５】
肥料は、さらに、多孔質担体に、木酢液及び／又は水酸化カリウム、炭酸ナトリウム、メタルシリコン及び水を反応させて生成したアルカリ性液体を添加して培養された菌類を含んで成ることを特徴とする請求項１〜４のいずれか１項に記載の肥料。
【請求項６】
肥料は、さらに、炭素源を含んで成ることを特徴とする請求項１〜５のいずれか１項に記載の肥料。
【請求項７】
肥料は、さらに、籾殻を含んで成ることを特徴とする請求項１〜６のいずれか１項に記載の肥料。
【請求項８】
肥料は、さらに、籾殻活性炭を含んで成ることを特徴とする請求項１〜７のいずれか１項に記載の肥料。
【請求項９】
肥料は、さらに、木酢液を含んで成ることを特徴とする請求項１〜８のいずれか１項に記載の肥料。
【発明の詳細な説明】
【０００２】
【発明の属する技術分野】
【０００３】
本発明は、樹木、花、野菜、米等を栽培する際に使用される肥料に係り、特に、水溶性の無機反応生成物を二種以上含む肥料に関する。
【従来の技術】
【０００４】
これまで多用されてきた化学肥料は、即効性があるものの、連用により、土やせが生じ、植物が病弱化するという欠点がある。これらの欠点を補うため、農薬が散布され、化学肥料が大量に投与された。農薬や多量の化学肥料の使用により一定の効果は得られたものの、その使用量は増加の一途をたどり、その結果、土中の微生物が死滅し、土地本来の機能を失った農地が激増した。一方、近年の健康ブームにより、化学肥料及び農薬を一切使用せずに栽培された農作物が消費者に好まれている。このような事情により、一旦ほとんど使用されなくなった有機質肥料が見直されてきている。
【０００５】
一般的に、有機質肥料は、鶏、豚、牛等の家畜糞尿を主成分とし、おが屑、藁、バーク等が混合された動物由来のもの、脱脂米糠等に油粕や魚粕などを配合した植物由来のものが知られている。
【発明が解決しようとする課題】
【０００６】
しかし、これらの有機質肥料は、分解しやすい糖類などを多量に含み、その分解中に土中の酸素を奪うため、一時的な酸欠状態を生じ易く、植物の育成を阻害するおそれがある。また、家畜糞尿は水分含量が多く、種々の成分が混ざっているため、家畜糞尿を主成分とする有機質肥料を土壌に施した場合には、土壌中のｐＨが不安定となり、発酵が円滑に進行せず、長期にわたって悪臭が発生しやすい。一方、脱脂米糠等に油粕や魚粕などを配合した有機質肥料は、土壌に施した場合にも悪臭が発生しないが、米糠は、次第に酸化して塊状となるため、土壌に施し難く、また米糠自体には、バクテリアが存在しないため、腐食しにくく、土壌の浄菌性や病原対策としての効果がない。
【０００７】
本願発明は、上記問題点を解決するためになされたものであって、その目的とするところは、土壌に施しやすく、土壌に施した場合において、悪臭が発生せず、植物の生育が良好であり、土壌中の有用微生物が活性化され、土壌の浄菌性や病原対策としての効果も有する肥料を提供するものである。
【課題を解決するための手段】
【０００８】
本願発明者は、上記目的を達成すべく様々な検討を重ねた結果、特定の水溶性無機反応生成物を含有する肥料が上記目的を達成することを見出し、本願発明をするに至った。
【０００９】
即ち、本願発明は、水酸化カリウム、炭酸ナトリウム、メタルシリコン、水、ホウ砂及びホウ酸を反応させて生成した水溶性液体と、水、ホウ砂、ホウ酸及びリン酸を混合してなる溶液に、水酸化カリウム、炭酸ナトリウム、メタルシリコン及び水を反応させて生成したアルカリ性液体を水で希釈した溶液を混合し、反応させて生成した水溶性液体を含んで成ることを特徴とする肥料である。
【００１０】
本願発明の好適形態においては、上記肥料は、水、ホウ砂、ホウ酸及びリン酸を混合してなる溶液に、水酸化カリウム、炭酸ナトリウム、メタルシリコン及び水を反応させて生成したアルカリ性液体を水で希釈した溶液を混合し、反応させて生成した水溶性液体の配合重量が、水酸化カリウム、炭酸ナトリウム、メタルシリコン、水、ホウ砂及びホウ酸を反応させて生成した水溶性液体の配合重量を１とした場合に、０．３〜１であり、さらに、リン酸カルシウム、カオリン、多孔質担体に、木酢液及び／又は水酸化カリウム、炭酸ナトリウム、メタルシリコン及び水を反応させて生成したアルカリ性液体を添加して培養された菌類、炭素源、籾殻、籾殻活性炭、木酢液のいずれか一種以上を含んで成る。
【発明の実施の形態】
【００１１】
本願発明の肥料は、水酸化カリウム、炭酸ナトリウム、メタルシリコン、水、ホウ砂及びホウ酸を反応させて生成した水溶性液体（以下「水溶性液体Ａ」という。）と、水、ホウ砂、ホウ酸及びリン酸を混合してなる溶液に、水酸化カリウム、炭酸ナトリウム、メタルシリコン及び水を反応させて生成したアルカリ性液体を水で希釈した溶液を混合し、反応させて生成した水溶性液体（以下「水溶性液体Ｂ」という。）を含んで成る。
【００１２】
本願発明に使用する水溶性液体Ａは、水酸化カリウム、炭酸ナトリウム、メタルシリコン、水、ホウ砂及びホウ酸を反応させることにより得られる。
【００１３】
水溶性液体Ａを得るためには、水酸化カリウム及び炭酸ナトリウムは粉末状又は粒状のものを用い、メタルシリコンは塊状のものを用いる。この場合、粉末、粒、塊のそれぞれの大きさ（直径等）は、特に限定されず、粉末状又は粒状の水酸化カリウム、粉末状又は粒状の炭酸ナトリウム、塊状のメタルシリコンであれば、市販品を用いることができる。また、ホウ酸及びホウ砂も市販品を用いることができる。なお、炭酸ナトリウムは、炭酸ナトリウムの無水塩（俗称「ソーダ灰」）を用いるのが好ましく、ホウ砂は数マイクロメートル程度の粒径のものを用いるのが好ましい。
【００１４】
水溶性液体Ａは、反応槽内に、粉末状若しくは粒状の水酸化カリウム、粉末状若しくは粒状の炭酸ナトリウム、メタルシリコンの塊、ホウ砂、ホウ酸を投入した後、最後に水を投入すると、自然に反応が開始され、生成される。
【００１５】
反応槽に投入する水の量は、水酸化カリウムと炭酸ナトリウムの総重量の２．５倍程度から４．７倍程度が好ましい。水の量が水酸化カリウムと炭酸ナトリウムの総重量の２．５倍程度より少なくなると、生成反応が順調に進まなくなるからであり、逆に水の量が水酸化カリウムと炭酸ナトリウムの総重量の４．７倍程度より多くなると、最終的に得られる水溶性液体Ａを混合した肥料は、本願発明の効果を十分に発揮しないことがあるからである。
【００１６】
水溶性液体Ａの生成反応は、６０℃〜９０℃まで温度が上昇し、２時間〜１０時間で終了する。反応に供する水酸化カリウムなどの量が少なければ、生成反応に要する時間が短くなり、逆に水酸化カリウムなどの量が多ければ、生成反応に要する時間が長くなる。水を４０℃〜５０℃まで加熱して反応槽に投入すれば、生成反応に要する時間を短縮することができる。
【００１７】
前記方法により得られる水溶性液体ＡのｐＨは４〜８となる。水溶性液体ＡのｐＨは水やホウ酸、ホウ砂を加える量により調整することができる。反応が終了した後には、未反応のメタルシリコンが残るが、この残留メタルシリコンを水で洗浄すると、水溶性液体Ａの原料として再利用することができる。
【００１８】
本願発明に使用する水溶性液体Ｂは、水、ホウ砂、ホウ酸及びリン酸を混合してなる溶液に、水酸化カリウム、炭酸ナトリウム、メタルシリコン及び水を反応させて生成したアルカリ性液体を水で希釈した溶液を混合し、反応させることにより得られる。
【００１９】
水、ホウ砂、ホウ酸及びリン酸を混合してなる溶液を得るために使用する水として水道水を用いることができる。ここで、使用する水の量は、ホウ砂、ホウ酸及びリン酸を溶解できる量であれば十分であるが、配合、溶解されるホウ砂、ホウ酸及びリン酸の総重量の１．１倍〜２倍であることが好ましい。使用する水の量がこの範囲にないと、最終的に得られる水溶性液体Ｂを混合した肥料は、本願発明の効果を十分に発揮しないことがあるからである。なお、ホウ砂、ホウ酸及びリン酸を加える前に、水の温度を５０℃程度まで加熱しておけば、反応時間を短縮することができる。
【００２０】
水溶性液体Ｂを得るために加えるホウ砂、ホウ酸及びリン酸は、市販品を用いることができるが、ホウ砂は、粒径が数マイクロメートル程度のものが好ましい。ここで、ホウ砂、ホウ酸及びリン酸の配合重量比は、ホウ砂の重量を１とした場合に、ホウ酸が０．６〜１．５、リン酸が０．１〜０．５であるのが好ましい。ホウ砂、ホウ酸及びリン酸の配合割合がこの範囲にないと、最終的に得られる水溶性液体Ｂを混合した肥料は、本願発明の効果を十分に発揮しないことがあるからである。
【００２１】
水溶性液体Ｂを得るために加えるアルカリ性液体は、水溶性液体Ａと同様の方法によって得ることができる。即ち、反応槽内に、粉末状又は粒状の水酸化カリウム、粉末状又は粒状の炭酸ナトリウム、メタルシリコンの塊及び水を投入すると、自然に反応が開始され、アルカリ性液体が生成する。
【００２２】
水溶性液体Ｂを得るためには、前記方法により得られたアルカリ性液体を水で希釈した溶液を加える。希釈割合は、アルカリ性液体の重量を１とした場合に、４倍〜８倍の重量の水で希釈するのが好ましく、７倍程度の重量の水で希釈するのがより好ましい。４倍未満の重量の水で希釈したものを加えた場合には、混合後に得られる水溶性液体Ｂの粘度が高くなりすぎるため、好ましくなく、逆に８倍を超える重量の水で希釈したものを加えた場合には、最終的に得られる水溶性液体Ｂを混合した肥料は、本願発明の効果を十分に発揮しないことがあるため、好ましくないからである。
【００２３】
水溶性液体Ｂは、例えば、次の方法で得ることができる。即ち、反応槽に水を投入し、攪拌しながら５０℃程度まで昇温させる。その後、ホウ砂を投入し、攪拌しながら温度が９０℃程度まで徐々に上昇するように加熱する。透明になった時点でホウ酸を投入し、加熱及び攪拌を続ける。透明になったところでリン酸を投入し、加熱及び攪拌を更に続ける。くもった状態が透明になったら水で希釈したアルカリ性液体を投入し、加熱及び攪拌を続けると、３０分程度で水溶性液体Ｂが得られる。この方法で得られた水溶性液体ＢのｐＨは６〜８となる。
【００２４】
水溶性液体Ｂは多量のマイナスイオンを発生する。キョウリツエレクトロニクス株式会社製のエアーイオンカウンターのＫＥＣ−８００を用いて測定すると、空気中には、通常６００個／立方センチメートル程度のマイナスイオンが存在していることを確認することができるが、水溶性液体Ｂの周辺の空気を前記エアーイオンカウンターＫＥＣ−８００を用いて本願発明者が測定してみたところ、平均して８００〜１６００個／立方センチメートルのマイナスイオンが検出されたからである。マイナスイオンは生物体によい作用を与えるため、水溶性液体Ｂを含有した本願発明の肥料は、植物の生育を促進する働きのみならず、土壌中の微生物を増殖させる働きを有する。
【００２５】
本願発明において、水溶性液体Ｂの配合重量比は、水溶性液体Ａの重量を１とした場合に、０．３〜１であることが好ましい。水溶性液体Ｂの配合重量比がこの範囲にないと、最終的に得られる肥料は、本願発明の効果を十分に発揮しないおそれがあるからである。
【００２６】
本願発明の肥料には、カオリン及び／又はリン酸カルシウムを含有させることは好ましい。本願発明の肥料は遠赤外線を放射するが、カオリンを添加することにより、遠赤外線の放射量がより多くなるからであり、リン酸カルシウムは、植物の生長阻害物質を除いたり、植物の生育を増進する働きを有するからである。ここで、カオリン及び／又はリン酸カルシウムは、水溶性液体Ａ又は水溶性液体Ｂを調製する際に混合してもよく、その後に混合してもよい。
【００２７】
本願発明の肥料には、多孔質担体に、木酢液及び／又は水酸化カリウム、炭酸ナトリウム、メタルシリコン及び水を反応させて生成したアルカリ性液体を添加して培養された菌類を含有させることが好ましい。本願発明の肥料に上述に従い培養された菌類を配合すると、土壌に施肥した場合、土壌中の有用微生物が活性化されるからである。
【００２８】
使用可能な多孔質担体としては、活性炭、木炭、石炭、コークスが挙げられるが、中でもヤシガラの内殻から造られたヤシガラ活性炭が好ましい。ヤシガラ活性炭は、粗繊維含量が多いからである。
【００２９】
多孔質担体にアルコール成分を含ませることは好ましく、これにより土中の微生物の活性化に有効な菌類が生育しやすくなる。多孔質担体にアルコール成分を含ませる方法は特に限定されない。アルコール成分を含ませた多孔質単体としては、例えば、酒造会社で廃棄される酒を搾る際に使用したヤシガラ活性炭を例示することができる。酒を搾る際に使用したヤシガラ活性炭は粒状でも粉末状でも用いることができるが、粉末状の方が混ぜやすいという点で好ましく使用することができる。
【００３０】
多孔質担体に木酢液を添加すると、菌類の生長を促進し、培養時間を短縮する等の効果がある。ここにいう木酢液は、木材の乾燥重量１００重量部に対し２５〜４５重量部得られる、暗褐色の特有の刺激臭を有する液体で、全体の８０〜９０重量％程度が水分であり、タール分、浮遊物、塵芥、さらには、ギ酸、酢酸、プロピオン酸、酪酸、吉草酸、パレロラクトン、カプロン酸等の有機酸類及びラクトン、メチルアルコール、アリルアルコール等のアルコール類、酢酸メチル、ギ酸メチル等のエステル類、ホルムアルデヒド、アセトアルデヒド、フルフラール等のアルデヒド類、アセトン、ジエチルケトン、メチルエチルケトン等のケトン類を含み、木材や植物を炭化する際、その熱分解時に発生する煙を冷却することにより得られる。
【００３１】
多孔質担体に、水酸化カリウム、炭酸ナトリウム、メタルシリコン及び水を反応させて生成したアルカリ性液体を添加すると、菌類が生長しやすいだけでなく、菌類のうち、土中の微生物の活性化に有効なものが選択的に生長する等の効果がある。
【００３２】
多孔質担体に、木酢液及び水酸化カリウム、炭酸ナトリウム、メタルシリコン及び水を反応させて生成したアルカリ性液体の双方を添加することもでき、双方を添加すると、前述したそれぞれの効果が相加的に発揮される。双方を添加する場合には、多孔質担体に木酢液を添加した後、その上に水酸化カリウム、炭酸ナトリウム、メタルシリコン及び水を反応させて生成したアルカリ性液体を添加するのが好ましい。木酢液を添加した場合の効果をより発揮させるためである。
【００３３】
多孔質担体に、木酢液及び／又は水酸化カリウム、炭酸ナトリウム、メタルシリコン及び水を反応させて生成したアルカリ性液体を添加する方法は、特に限定されず、例えば、浸積、塗布、噴霧が挙げられるが、噴霧が好ましい。噴霧すると、木酢液及び／又は水酸化カリウム、炭酸ナトリウム、メタルシリコン及び水を反応させて生成したアルカリ性液体が多孔質担体の各部にこまかく行きわたるからである。
【００３４】
多孔質担体への菌類の培養は、常温で行うことができる。水酸化カリウム、炭酸ナトリウム、メタルシリコン及び水を反応させて生成したアルカリ性液体及び／又は木酢液の添加は、多孔質担体が湿った状態を保てばよいため、特に限定されないが、例えば、１日おきに１〜３回位添加する。通常、多孔質担体に水酸化カリウム、炭酸ナトリウム、メタルシリコン及び水を反応させて生成したアルカリ性液体及び／又は木酢液を添加してから２〜３ヶ月後に青かび等の菌類が発生する。
【００３５】
本願発明の肥料には、炭素源、籾殻、籾殻活性炭のいずれか一種以上を含有させるのが好ましい。炭素源は植物に必要な栄養分を土壌に付与するからであり、籾殻や籾殻活性炭は、適度な通気性及び保水性を付与するからである。
【００３６】
配合可能な炭素源には、米糠、フスマ、闊葉樹の枝、葉、樹皮、おが屑、大豆の絞り粕、稲切りわらを挙げることができるが、その中でも、米糠、闊葉樹のおが屑を用いることが好ましい。米糠の中には、植物の生育によいとされる栄養分が多く含まれているため、肥料を散布した土壌に栄養素を多く含ませることができるからであり、闊葉樹のおがくずは、植物の生育を助長するのに大変優れ、また闊葉樹は広葉樹の一種で、ぶな、なら等で代表される幅の広い葉を持つ落葉樹であるが、腐りやすいため、土壌中で自然発酵が行われ、酸素が豊富に存在して土質が柔軟化するからである。
【００３７】
籾殻は、穀物廃材であるが、最終的に土に帰るため、土壌中に残留せず、資源の再利用にも資する。本願発明では、籾殻は粉末にして配合するのが好ましい。粉末にすると、肥料中にまんべんなく分布させることができるため、籾殻を混合したことにより生ずる効果が十分発揮されるからである。
【００３８】
籾殻活性炭は、例えば、籾殻を野焼きして炭化したものを用いることができる。なお、籾殻活性炭には吸着作用があるため、例えば、籾殻活性炭に、土壌に有用な微生物を吸着させれば、土壌改良効果を持たせることができ、速効性肥料成分を吸着させれば、遅効性肥料としての働きを持たせることができる。
【００３９】
本願発明の肥料には、木酢液を含有させることが好ましい。木酢液を配合すると、虫が付かず、土壌に施肥した場合、植物が活性化され、肥効が更に向上するという効果があるからである。なお、木酢液の配合重量比は、水溶性液体Ａの重量を１とした場合に、１〜２であることが好ましい。
【００４０】
本願発明の肥料には、その他、油粕、魚粕、骨粉などを本願発明の効果を妨げない範囲で配合することができる。
【実施例】
【００４１】
（１）水溶性液体Ａの作成
（実施例１）
反応槽内に、粉末状の水酸化カリウム３ｋｇ、粉末状の炭酸ナトリウムの無水塩（株式会社旭硝子製）２ｋｇ、メタルシリコンの塊１５ｋｇ、市販のホウ砂１．６ｋｇ、市販のホウ酸１．２ｋｇを順次投入し、水２０リットルを投入したところ、自然に反応が開始され、最下層の水酸化カリウムが激しく反応し、反応槽内で下側から上側への対流が生じることが確認された。反応温度は、自然に８０℃〜９０℃に上昇し、３．５時間程度で反応が終了した。反応終了後、残った固形物を分離して約３０ｋｇの水溶性液体Ａ１を得た。水溶性液体Ａ１のｐＨは７であった。残った固形物の大部分は、メタルシリコンの塊であった。残った固形物を水で洗浄すると、約１３ｋｇのメタルシリコンが得られた。この残留メタルシリコンは、水溶性液体Ａの原料として再利用することができる。
【００４２】
（２）アルカリ性液体の作成
（実施例２）
反応槽内に、粉末状の水酸化カリウム３ｋｇ、粉末状の炭酸ナトリウムの無水塩（株式会社旭硝子製）２ｋｇ、市販のメタルシリコンの塊１５ｋｇを順次投入した。その後、水２０リットルを投入したところ、自然に反応が開始され、最下層の水酸化カリウムが激しく反応し、反応槽内で下側から上側への対流が生じることが確認された。反応温度は、自然に８０℃〜９０℃に上昇したが、最高でも９２℃を越えることはなかった。反応は、３．５時間程度で終了した。反応終了後、残った固形物を分離して約２７ｋｇのアルカリ性液体２を得た。アルカリ性液体２のｐＨは１１であった。残った固形物の大部分は、メタルシリコンの塊であった。残った固形物を水で洗浄すると、約１３ｋｇのメタルシリコンが得られた。この残留メタルシリコンは、アルカリ性液体の原料として再利用することができる。
【００４３】
（３）水溶性液体Ｂの作成
（実施例３）
反応槽内へ水道水８０ｋｇを投入した後、攪拌しながら、２０，０００カロリーのプロパンガスコンロで加熱して水温を５０℃にし、反応槽内に平均粒径７マイクロメートルのホウ砂２０ｋｇを投入した。攪拌を続け、反応槽の温度を徐々に９０℃程度となるように加熱した。反応槽内の溶液が透明になった時点で市販のホウ酸１５ｋｇを投入した。その後加熱及び攪拌を続け、透明になったところで市販のリン酸５ｋｇを投入した。更に加熱及び攪拌をし続け、くもった状態が透明になったところで、アルカリ性液体２を７倍の重量の水道水で希釈した溶液を３ｋｇ投入した。反応が進行している間、反応槽内の温度は９２℃位であった。水で希釈したアルカリ性液体２を最後に投入した後３０分程度加熱及び攪拌を続け、水溶性液体Ｂ３を得た。水溶性液体Ｂ３のｐＨは７であった。
【００４４】
（４）菌類の培養
（実施例４）
酒を搾った際に使用した粉末ヤシガラ活性炭の表面全体に炭焼きで発生した木酢液をむらなく噴霧した。木酢液の噴霧は、１日おきに３回行った。その後、常温で２ヶ月間放置した結果、活性炭が固くなり、青かび等の菌類が付着した菌類付着活性炭４を得た。
【００４５】
（実施例５）
木酢液をアルカリ性液体２に代えて噴霧した以外は実施例４と同様の操作を繰り返し、青かび等の菌類が付着した菌類付着活性炭５を得た。
【００４６】
（実施例６）
酒を搾った際に使用した粉末ヤシガラ活性炭の表面全体に炭焼きで発生した木酢液をむらなく噴霧し、木酢液添加活性炭を得た。この木酢液添加活性炭の表面にアルカリ性液体２をむらなく噴霧し、アルカリ性液体を添加した活性炭を得た。木酢液及びアルカリ性液体２の噴霧は、１日おきに３回行った。その後、常温で２ヶ月間放置した結果、活性炭が固くなり、青かび等の菌類が付着した菌類付着活性炭６を得た。
【００４７】
実施例４〜６について、噴霧した液体の一覧を表１に示す。
【表１】
0003595825.tif 000002
【００４８】
（５）肥料の作成
（実施例７）
籾殻をミキサーで粉砕した籾殻粉末１４ｋｇ、籾殻を野焼きして炭化した籾殻活性炭１ｋｇ、市販のカオリン１ｋｇ、市販のリン酸カルシウム１ｋｇ、炭焼きで発生した木酢液１０ｋｇ、炭素源として米糠１４ｋｇ、菌類付着活性炭４を０．５ｋｇ、水溶性液体Ａ１を６ｋｇ、水溶性液体Ｂ３を４ｋｇ投入した後、ミキサーで攪拌混合し、本願発明となる粉状の肥料７を得た。肥料７は長期間放置しても塊状にならず、粉状のままであった。
【００４９】
（実施例８）
菌類付着活性炭４を菌類付着活性炭５に代えた以外は実施例７と同様の操作を繰り返し、本願発明となる粉状の肥料８を得た。肥料８は長期間放置しても塊状にならず、粉状のままであった。
【００５０】
（実施例９）
菌類付着活性炭４を菌類付着活性炭６に代えた以外は実施例７と同様の操作を繰り返し、本願発明となる粉状の肥料９を得た。肥料９は長期間放置しても塊状にならず、粉状のままであった。
【００５１】
（実施例１０）
籾殻粉末１４ｋｇを０ｋｇに代え、籾殻活性炭１ｋｇを０ｋｇに代え、カオリン１ｋｇを０ｋｇに代え、リン酸カルシウム１ｋｇを０ｋｇに代えた以外は実施例９と同様の操作を繰り返し、本願発明となる粉状の肥料１０を得た。肥料１０は長期間放置しても塊状にならず、粉状のままであった。
【００５２】
（実施例１１）
籾殻活性炭１ｋｇを０ｋｇに代え、カオリン１ｋｇを０ｋｇに代えた以外は実施例９と同様の操作を繰り返し、本願発明となる粉状の肥料１１を得た。肥料１１は長期間放置しても塊状にならず、粉状のままであった。
【００５３】
（実施例１２）
籾殻粉末１４ｋｇを０ｋｇに代え、カオリン１ｋｇを０ｋｇに代えた以外は実施例９と同様の操作を繰り返し、本願発明となる粉状の肥料１２を得た。肥料１２は長期間放置しても塊状にならず、粉状のままであった。
【００５４】
（実施例１３）
籾殻粉末１４ｋｇを０ｋｇに代え、籾殻活性炭１ｋｇを０ｋｇに代えた以外は実施例９と同様の操作を繰り返し、本願発明となる粉状の肥料１３を得た。肥料１３は長期間放置しても塊状にならず、粉状のままであった。
【００５５】
（実施例１４）
籾殻粉末１４ｋｇを０ｋｇに代えた以外は実施例９と同様の操作を繰り返し、本願発明となる粉状の肥料１４を得た。肥料１４は長期間放置しても塊状にならず、粉状のままであった。
【００５６】
（実施例１５）
籾殻活性炭１ｋｇを０ｋｇに代えた以外は実施例９と同様の操作を繰り返し、本願発明となる粉状の肥料１５を得た。肥料１５は長期間放置しても塊状にならず、粉状のままであった。
【００５７】
（実施例１６）
カオリン１ｋｇを０ｋｇに代えた以外は実施例９と同様の操作を繰り返し、本願発明となる粉状の肥料１６を得た。肥料１６は長期間放置しても塊状にならず、粉状のままであった。
【００５８】
（実施例１７）
リン酸カルシウム１ｋｇを０ｋｇに代えた以外は実施例９と同様の操作を繰り返し、本願発明となる粉状の肥料１７を得た。肥料１７は長期間放置しても塊状にならず、粉状のままであった。
【００５９】
（実施例１８）
木酢液１０ｋｇを０ｋｇに代えた以外は実施例９と同様の操作を繰り返し、本願発明となる粉状の肥料１８を得た。肥料１８は長期間放置しても塊状にならず、粉状のままであった。
【００６０】
（実施例１９）
米糠１４ｋｇを０ｋｇに代えた以外は実施例９と同様の操作を繰り返し、本願発明となる粉状の肥料１９を得た。肥料１９は長期間放置しても塊状にならず、粉状のままであった。
【００６１】
（実施例２０）
木酢液１０ｋｇを７ｋｇに代えた以外は実施例９と同様の操作を繰り返し、本願発明となる粉状の肥料２０を得た。肥料２０は長期間放置しても塊状にならず、粉状のままであった。
【００６２】
（実施例２１）
木酢液１０ｋｇを１２ｋｇに代えた以外は実施例９と同様の操作を繰り返し、本願発明となる粉状の肥料２１を得た。肥料２１は長期間放置しても塊状にならず、粉状のままであった。
【００６３】
（実施例２２）
籾殻をミキサーで粉砕した籾殻粉末１３ｋｇ、籾殻を野焼きして炭化した籾殻活性炭１ｋｇ、市販のカオリン０．５ｋｇ、市販のリン酸カルシウム１ｋｇ、炭焼きで発生した木酢液１ｋｇ、炭素源として米糠１３ｋｇ、菌類付着活性炭６を１ｋｇ、水溶性液体Ａ１を６ｋｇ、水溶性液体Ｂ３を５ｋｇ投入した後、ミキサーで攪拌混合し、本願発明となる粉状の肥料２２を得た。肥料２２は長期間放置しても塊状にならず、粉状のままであった。
【００６４】
実施例７〜２２について、混合した物質の一覧を表２に示す。
【表２】
0003595825.tif 000003
【００６５】
（６）農作物への施肥
（実施例２３）
化学肥料の連用により土やせが生じ、植物が正常に生育しにくい農地から土を採取した。その土を入れた鉢植えを２０体用意した。そのうち１６体の鉢植えの土には、実施例７〜２２によって得られた本願発明である肥料７〜２２を単独でそれぞれ一掴み混合した。それぞれの鉢に茄子の苗を植え、同一条件で栽培したところ、以下の結果が得られた。
【００６６】
本願発明である肥料７〜２２をそれぞれ施肥した鉢は、いずれも花が咲いて実をつけるに至ったが、本願発明の肥料を与えなかった４体の鉢は、いずれも生育が悪かった。
【００６７】
肥料７〜９を土壌に施肥した結果から、菌類付着活性炭は、木酢液及び水溶性液体を添加して造った場合（菌類付着活性炭６）、多孔質担体に木酢液のみを添加して造った場合（菌類付着活性炭４）、多孔質担体に水溶性液体のみを添加して造った場合（菌類付着活性炭５）のいずれであっても、本願発明の肥料の原料とすることができることがわかった。
【００６８】
籾殻、籾殻活性炭、カオリン、リン酸カルシウムは、生育状態に関係した。即ち、籾殻、籾殻活性炭、カオリン、リン酸カルシウムのいずれか一種以上を配合した肥料９、１１〜１７、２０〜２２を施肥したものは、籾殻、籾殻活性炭、カオリン及びリン酸カルシウムのいずれも配合しなかった肥料１０を施肥したものと比べ、いずれも生育状態がよく、できた茄子の実も大きかった。
【００６９】
木酢液、炭素源を配合するかどうかは収穫量に関係した。即ち、木酢液や炭素源（米糠）を配合した肥料９、２０〜２２は、木酢液を配合しなかった肥料１８や炭素源（米糠）を配合しなかった肥料１９に比べて、実を付けた量が多かった。
【００７０】
（実施例２４）
化学肥料の連用により土やせが生じ、植物が正常に生育しにくい農地にトマトの苗を等間隔に２０本植え、そのうちの１６本に実施例７〜２２によって得られた肥料７〜２２を単独でそれぞれ施肥した。同一条件で栽培したところ、本発明の肥料７〜２２を施肥したトマトの苗は、いずれも花が咲き、実をつけるに至った。特に、肥料９、２０〜２２を施肥したものは、他に比べより多くのトマトが収穫でき、その実も大きく、甘さが良好であった。一方、本願発明の肥料を与えなかった４本のトマトの苗は、いずれも生育が悪く、収穫も少なかった。
【発明の効果】
【００７１】
本願発明の肥料は、土壌に施しやすく、土壌に施肥すると、土壌の浄菌性が向上し、植物の生育が促進される。
【００７２】
また、本願発明の肥料は、土壌に施肥すると、一時的な酸欠状態も発生せず土壌中の有用微生物が活性化され、肥料の吸収率が増大され、植物の耐病性も高まり、植物が酸性雨やダイオキシン等を摂取する量を減少させ、農作物の生産性の向上を図ることができる。
【００７３】
さらに、本願発明の有機質肥料は、マイナスイオンを多量に発生するため、土壌に施肥すると、植物の生育を促進し、土壌中の有用微生物を活性化させることができる。
【００７４】
本願発明の肥料は、家畜糞尿を一切使用していないため、土壌に施肥したときに、悪臭が発生せず、人工飼料に含まれているカルシウム剤、消毒剤等の有害物を含まない安全な農作物を生み出すことができる。